(57)【要約】パーソナルコンピュータ又は移動電話機といった画像を保存及び表示するシステムにおいて、保存画像と共に符号化されるミラー値に応じて、実際の環境の仮想反射を選択的に表示する表示装置が設けられる。カメラ（３０２）は、ＣＰＵ（１００）に制御されてメモリ（１０６、ＶＲＡＭ３）に保存されるリアルタイム環境画像データを供給する。透明効果のために、背景画像データ（ＲＧＢ２）は、透明コード（Ｔ）に制御されて、前景画像（ＲＧＢ１）と混合される（１１０）。結果として得られる画素値（ＲＧＢ３）は更に、ＶＲＡＭ３から読出しされる、実際のミラー画像をシミュレートするよう左右反転された（１１８）の環境画像データと更に混合されて、表示装置（３００）に出力される。別のカメラ（３１０）からの画像も同様に用いて、仮想透明機能を供給することが可能である。画像の各画素について透明及び反射効果を制御することにより、様々な特別な効果及びより現実的な表示を達成することが可能となる。
2004527050.tif 000002
【特許請求の範囲】
【請求項１】
表示装置と、
デジタルデータの形の画像を、該画像の異なる部分について色値及び追加のミラー値を決める形式で保存する手段と、
上記保存画像の各部分において、上記ミラー値に応じて、実際の環境の反射を選択的に表示するよう上記表示装置を制御する手段と、を含む表示機器。
【請求項２】
上記反射は、上記ミラー値が制御されて、銀のような効果によって物理的に再現される請求項１記載の機器。
【請求項３】
上記反射は、上記色値により決められる色と、上記表示装置に関連付けられるカメラからリアルタイムで受信する情報とが合わされて再現される請求項１記載の機器。
【請求項４】
上記色値に決められる色と上記情報を合わせることは、上記画像データ形式に保存される可能なミラー値の範囲に応じて、可変の度合いで実施される請求項３記載の機器。
【請求項５】
上記ミラー値の範囲の一部は、標準のミラー再現、又は、左右反転補正された再現を示すよう予約され、それに応じて、上記反射は再現される請求項３又は４記載の機器。
【請求項６】
上記制御手段は、上記表示装置の画面上の概念上の反射点についての上記カメラの位置ずれを補正するよう、左右反転に加えて、上記カメラから得られる画像データに幾何学的変換を行うよう構成される請求項３乃至５のうちいずれか一項記載の機器。
【請求項７】
上記画像データ形式は更に、可変ミラー方向を特定し、
上記反射は、上記特定されるミラー方向に依存して、実際の環境の様々な部分を反映するよう再現される請求項１乃至６のうちいずれか一項記載の機器。
【請求項８】
上記ミラー方向は、上記表示装置の平面について２つの角度の形で特定される請求項７記載の機器。
【請求項９】
上記色値及び上記ミラー値は、ラスタベースの画像中の各画素又は画素群に対し保存される請求項１乃至８のうちいずれか一項記載の機器。
【請求項１０】
上記画像データ形式は更に、透明値を含み、
上記制御手段は、上記保存画像の各部分における上記透明値に応じて、上記保存画像の上記色値を背景画像の色と選択的に合わせるよう動作する請求項１乃至９のうちいずれか一項記載の機器。
【請求項１１】
請求項１記載の表示機器に適合する色値及びミラー値を含む形式の画像データが保存される画像記憶装置。
【請求項１２】
請求項１乃至１１のうちいずれか一項記載の表示機器に適合し、保存画像の各部分における色値及びミラー値に応じて、色付き材料又はミラーのような材料を、記録媒体上に選択的に付着させるよう構成されるハードコピープリンタ。
【請求項１３】
表示装置と、
デジタルデータの形の画像を、該画像の異なる部分について色値及び追加の透明値を決める形式で保存する手段と、
上記保存画像の各部分において、上記透明値に応じて、実際の環境の一部を選択的に表示するよう上記表示装置を制御する手段と、を含む表示機器。
【請求項１４】
上記実際の環境の一部は、上記透明値に制御されて、物理的に透明に再現される請求項１３記載の機器。
【請求項１５】
上記実際の環境の一部は、上記色値により決められる色と、上記表示装置に関連付けられるカメラからリアルタイムで受信する情報とが合わされて再現される請求項１３記載の機器。
【発明の詳細な説明】
【０００１】
本発明は、パーソナルコンピュータ、携帯情報端末、又は、移動電話機といった装置における、特に、デジタル形式の画像の保存及び表示に係る。本発明は更に、そのような装置での使用に適応される新規の形式での画像の保存に係る。
【０００２】
コンピュータ表示装置は、現代の生活において、仕事、情報、又は、娯楽の分野に関らず非常に普及している。ビットマップ形式といった多くの画像形式は、３つの色座標を与える。即ち、赤、緑、及び、青（ＲＧＢ）である。この３色から他の全ての色が形成される。画像の各画素（又は、時に画素群）は、赤、緑、及び、青の輝度に関して決められる。各画素の各色座標に８ビットが用いられると、２２４（＝１，６００万）の色を形成することができる。ＨＳＶ（色相、彩度、明度）及びＹＵＶ（ＴＶ放送に用いられる輝度及び色差スキーム）といった様々な他の色座標スキームが、ＲＧＢに又はＲＧＢからマッピングされることが可能であり、これらは原則的に等価である。ある形式は、テレビジョン伝送に有利であり、ある形式は、画像変換に有利であり、更にある形式は、必要である場合により細かい色分解能を与えることにより、人間の視覚と良好に適合する。
【０００３】
圧縮スキームも存在する。圧縮スキームは、ロスレス又はロッシーであり得る。画像が伸張されると、画像は、各画素に対するＲＧＢ値又は等価物によって表される。より高度なスキームは、テキスチャを符号化する。しかしながら、最終的には、復号化ピクチャは、画素あたりのＲＧＢ値を含む。
【０００４】
追加の有用な特徴は、画像の一部が「透明」として見なされるよう特定することができることである。これは、論理上のｚ軸上に他の画像がある場合に１つの画像が表示されるとき、下にある画像が表示されることを意味する。このようなシステムの例は、例えば、米国特許第５，４６３，７２８号（ブラハット（Ｂｌａｈｕｔ）／ＡＴ＆Ｔ）、及び、米国特許第５，８９６，１３１号（アレキサンダ（Ａｌｅｘａｎｄｅｒ）／ＨＰ）に説明される。この透明性は、多くの画像を通して適用することができる。米国特許第５，４８０，３０５号（モンタグ（Ｍｏｎｔａｇ）／サウスウエスト（Ｓｏｕｔｈｗｅｓｔ））は、天候状態をシミュレートするために、曇り及び雨のオブジェクトといったシミュレートされた３次元（３Ｄ）「天候エレメント」の属性として透明性について説明する。
【０００５】
１つの画素が、任意の画素の位置にて全ての重ねられた画像において透明であると決められるとしても、最終的な物理的な表示は、（通常は）透明性を再現せず、何らかのＲＧＢ値が装置に供給される。このＲＧＢ値は、一般的に、「黒」、又は、「白」、又は、「背景色」である。透明性は、擬似色として見なすことが可能である。これは、「ギフ（ｇｉｆ）」ファイルによってサポートされる。
【０００６】
本発明は、今日の表示装置によって達成可能な様々な効果を増加し、また、表示装置の新規の特性を提案することを目的とする。広い意味で言えば、本発明は、もう１つの擬似色可能性を加え、このことは、以下ミラーコードと呼ぶ。これは、画像の一部が「水平方向にフリップされる」ことを意味しない。しかし、この目的のために、１ビットを設定することはできる。これは、表示される画像（の一部）が、画素が銀色にされたかのように、物理的なミラーのように効果的になり、オペレータに対し、表示装置のある実際の物理環境の反射であると思われるものを画面上に表示することを意味する。尚、この点において、米国特許第６，０８８，０１８号（デリーウ（ＤｅＬｅｅｕｗ）／インテル）は、コンピュータ端末用のユーザ入力装置を提案しているが、この装置は、ユーザのミラー画像を通常の「デスクトップ」ディスプレイにブレンドし、それにより、ユーザが、システムとインタラクトするために、手の動作によって、アイコン等を実質的に「掴む」ことが可能となる。ミラー画像は、このためにディスプレイ全体に均一に広がり、画面の上方に位置する前向きカメラ（即ち、表示装置の前方にある環境を撮像する）から得られる。カメラ入力は、当然ながら、ビデオ会議といった現代の用途にも供給される。
【０００７】
本発明によると、表示装置と、デジタルデータの形の画像を、その画像の異なる部分について色値及び追加のミラー値を決める形式で保存する手段と、保存された画像の各部分において、ミラー値に応じて、実際の環境の反射を選択的に表示するよう表示装置を制御する手段と、を含む表示機器を提供する。
【０００８】
反射は、ミラー値が制御されて、銀のような効果によって物理的に再現され得る。或いは、反射は、色値により決められる色と、表示装置に関連付けられるカメラからリアルタイムで受信する情報とが合わされて再現され得る。ただし、色値に決められる色とカメラからの情報を合わせることは、画像データ形式に保存される可能なミラー値の範囲に応じて、可変の度合いで実施され得る。ミラー値の範囲の一部は、標準のミラー再現、又は、左右反転補正された再現を示すよう予約され、それに応じて、上述の反射が再現され得る。色値及びミラー値は、ラスタベースの画像中の各画素又は画素群に対し保存され得る。
【０００９】
表示装置を制御する手段は、表示装置の画面上の概念上の反射点についてのカメラの位置ずれを補正するよう、左右反転に加えて、カメラから得られる画像データに幾何学的変換を行うよう構成され得る。
【００１０】
画像データ形式は更に、可変ミラー方向を特定し、反射は、特定されるミラー方向に依存して、実際の環境の様々な部分を反映するよう再現される。ミラー方向は、表示装置の平面について２つの角度の形で特定され得る。
【００１１】
本発明によると、上述の表示機器に適合し、保存画像の各部分における色値及びミラー値に応じて、色付き材料又はミラーのような材料を、記録媒体上に選択的に付着させるよう構成されるハードコピープリンタを提供する。
【００１２】
本発明の１つの独立した面によると、表示装置と、デジタルデータの形の画像を、その画像の異なる部分について色値及び追加の透明値を決める形式で保存する手段と、保存画像の各部分において、透明値に応じて、実際の環境の一部を選択的に表示するよう表示装置を制御する手段とを含む表示機器を提供する。従って、本発明は、ミラーの反射効果だけに制限されるものではなく、２次元（２Ｄ）表示装置の平面間の従来の透明性とは対照的に、実際の又は「仮想の」透明を再現する。
【００１３】
実際の環境の一部は、透明値に制御されて、物理的に透明に再現され得る。或いは、実際の環境の一部は、色値により決められる色と、表示装置に関連付けられるカメラからリアルタイムで受信する情報とが合わされて再現され得る。
【００１４】
画像データ形式は更に、可変の透明性の方向を特定し、透明性は、特定される透明性の向きに依存して、実際の環境の様々な部分を屈折させるよう再現され得る。透明性の方向は、表示装置の平面について２つの角度の形で特定され得る。
【００１５】
本発明によると、上述した表示機器に適合する色値及びミラー値を含む形式の画像データが保存される画像記憶装置を提供する。
【００１６】
本発明の実施例を、添付図面を参照しながら例示的に説明する。
【００１７】
図１は、コンピュータに基づく表示機器を概略的に示す。本願の目的のための主な構成要素は、中央処理演算器（ＣＰＵ）１００、メモリ（ＲＡＭ）１０２、及び、表示装置（ＤＩＳ）１０４である。尚、当業者は、一般的なシステムでは、電源、入力装置（キーボード、マウス等）、及び、大容量記憶装置を含む多くの追加の構成要素が設けられることを認識するであろう。これらの構成要素は従来のものであり、従って、本発明の理解には説明する必要がない。
【００１８】
メモリ１０２内には、静止画像又は動画像であり得るデジタル化された画像を保存する固定又は可変部１０６（以下、画像メモリと称する）が設けられる。これらの画像は、合成されるか、磁気又は光学ディスク（ＣＤ  ＲＯＭ）といった記憶装置から取出しされるか、又は、ネットワークサービスを介して受信することが可能である。本実施例では、画像メモリ１０６は、ビットマップ（ラスタ）原理で体系付けられ、各画素に対し赤、緑、及び青の色成分値が保存される。しかし、本発明は、本実施例で用いるビットマップ形式の画像保存、又は、特定のＲＧＢ表現に制限されるものではない。ＹＵＶといった他の色座標系も当該技術において周知である。画像の高レベル又は「オブジェクトベースの」表現が、画像メモリ１０６に保存され、表示装置１０４に対し読出しされる際にラスタ形式に変換され得る。
【００１９】
図示するように、本実施例において、保存画像は、ＲＧＢ１が付されるＲＧＢ値と、更に、保存画像の各部分に対する透明性及び反射性の度合いを定める別個のコードＴ及びＭも含む。コードＴ及びＭが、透明性又は反射性の２つのレベル（１ビット値）のみを表すか、又は、反射性及び透明性の多数の度合い（マルチビット値）を表すことができるかは、設計選択の問題である。
【００２０】
図２は、上述した保存コードを用いての、新規の表示機器の所望の効果を示す。この所望の効果は、後述の説明から分かるように、今日の技術における実際の効果として示され、この効果は、陰極線管（ＣＲＴ）又は液晶ディスプレイ（ＬＣＤ）といった従来の表示装置を用いてデジタル技術によってシミュレートされる。しかし、図２は、ユーザの視点からの上述の所望の効果を説明する。表示画面の断面２００を図示する。光線Ｘ、Ｙ、及びＺは、画面の部分２０２、２０４、２０６のそれぞれからユーザの目に到達する。部分２０２において、画面は、従来のビデオ表示と同様に所望の色付き画像又はパターンを有して不透明である。部分２０４において、保存画像は透明であるよう決められ、それにより、画面２００の「背後」にある三角形のオブジェクトを、現在の画像に遮られることなく見ることができる。読者には、この「背景」の画像とは、一般的に、２次元表示装置の別の平面であり、原則的には、物理的に透明な表示画面２００は不可能であることが理解されるであろう。部分２０２における画面の色は、従来通りＲＧＢ色座標で表される。部分２０４における画像の透明性も、透明コードＴの値により、従来通りに示される。
【００２１】
冒頭で説明したように、本発明の機器の新規の特徴によると、画像の各部分について保存されるミラーコードＭは、ある画像が、完全なミラーのように振舞う部分を含むことを示す。従って、画面２００上の画像の一部２０６において、ユーザは、ユーザの環境に物理的にある立方体のオブジェクトから放射される光線Ｚを受ける。実線で表す光線Ｚの経路は、ミラー面が画面２００と平行である場合に現れるであろう経路を示す。当然ながら、画面に対しミラー面に角度が付けられるときは、経路Ｚ´をたどる場合もあり、従って、環境の幾つか他の部分が、部分２０６において画面にて「反射」されて見えることになる。尚、図２において、ユーザが頭部を上方向に動かしたとすると、ユーザ自身の顔が、画像の一部２０６に反射されて見えることになることを理解するであろう。
【００２２】
図３Ａ及び図３Ｂは、ＣＲＴ又はＬＣＤ表示画面３００に基づく新しい実施例におけるこの新しいコードの効果を説明する。従来設計のデジタルカメラ３０２が、前方を臨むように画面のハウジング内に組込まれる。画面３００により表示される画像中、部分３０４は「透明」であり、マイクロソフトウィンドウズ（登録商標）のデスクトップといった背景画像を示す。部分３０６は、家具のアイテムを示す「不透明」の部分であり、その家具のアイテムは、ミラー３０８を含む。図５及び図６を参照して以下に説明するように、「仮想透明」効果の為に、後向きカメラ３１０も設けられる場合がある。
【００２３】
図３Ａ及び図３Ｂは、表示画面３００の前方にある物理環境が変化したときの、画像の外観の変化を示す。つまり、図３Ａでは、人間のユーザがミラー３０８に反射されて見える。後ほど、第２の「ユーザ」が画面３００の前に座り、それにより、図３Ｂに示すようにミラーの部分３０８の外観が変わる。
【００２４】
本発明は、画像の画素が非ゼロのミラーコードＭを含むときに、部分的に又は略完全に銀のような表面を生成することによってミラー面を物理的に再現することのできるタイプの装置（画面３００）の可能性を排除するものではない。しかし、実際には、画像のミラー成分は電子的に供給されなければならず、組込まれた前向きカメラ３０２が、以下の詳細な例に示すように、そのような情報の情報源として機能することができる。言うまでもなく、同じカメラは、ミラー効果以外にも、ビデオ会議及び他の用途での入力装置としても機能し得る。
【００２５】
同様に、表示装置の物理的な透明性によって、又は、背景シーンを電子的に得るために、後向きカメラ３１０の使用によって得られる背景画像の源の可能性も存在する。
【００２６】
ミラー座標Ｍは、他の色又は透明座標と共に使用することが可能である。例えば、座標あたり０−２５５の尺度での（２００，０，０，１２８，１２８）の（Ｒ、Ｇ、Ｂ、Ｔ、Ｍ）座標は、ユーザが見たときに以下の特性を有し得る。
・強い赤色
・その強い赤色に、下にあるオブジェクトの５０％の色が追加される（Ｔ＝１／２）
・その強い赤色に、この画素においてミラーが示し得るものの５０％が追加される（Ｍ＝１／２）
上述した全ては、追加において、値２５５の潜在的な余剰を考慮するよう標準化される。
【００２７】
ミラー座標が、最大の強さに設定されない場合、画像は、ぼんやりとしたミラー画像として再現される。オプショナルな特徴として、ミラー座標Ｍの１ビットを用いて、従来のミラー画像が要求されるのか、又は、左右の反転が補正された「他の人々によって見られる」画像が要求されるのかを示すことができる。このオプションは、画像フレーム全体に対し、大域的に設定し得る。
【００２８】
図４は、上述したミラー機能の一般的な電子的実施を概略的に示す。比較を容易にするために、図１乃至図６を通して、類似する構成要素には同一の参照符号を付している。類似する構成要素には、特に、ＣＰＵ１００、メモリ１０２（画像メモリ１０６を組込む）、及び、ＣＲＴ、ＬＣＤ、又は他の物理的表示装置３００が含まれる。画像メモリ１０６内に保存される画像のＲ、Ｇ、及びＢ成分は、信号ＲＧＢ１として、ミキサ１１０に供給される。ミキサ１１０は、保存画像のＴ成分により制御される。背景画像データ源１１２は、色効果及び透明効果が組込まれた合成値ＲＧＢ３を生成するよう値Ｔに応じて混合される信号ＲＧＢ２を供給する。背景画像データ源１１２は、ライブビデオフィード、保存画像、パターン、又は、単一色値を要望に応じて含み得る。
【００２９】
画素毎にミラー座標Ｍにより制御される更なるミキサ１１４が設けられる。ミラーデータ源１１６が設けられ、ミラー画像ＲＧＢ４は、画像データＲＧＢ３と合成されて、表示装置３００に供給される最終データＲＧＢ５を生成する。図３Ａ及び図３Ｂを再び参照するに、各画素のＲＧＢ４の値は、所与の時間における表示装置３００の前方にある環境に依存するが、この効果は、当然ながら、特許図面には忠実に表すことができない。
【００３０】
図５及び図６は、図４のシステムの２つの特定の実施例を示す。図４のシステムは、前方向デジタルカメラ３０２を用いて、ミラー画像データＲＧＢ４を得ている。図４と異なる点のみを説明する。
【００３１】
図５の実施例では、前向きカメラ３０２によって、環境画像データが連続的に供給される。この環境画像は、ＣＰＵ１００に制御されて、画像メモリ１０６の別の領域ＶＲＡＭ３に保存される。同様に、背景画像データ（ＲＧＢ２）は、領域ＶＲＡＭ２に保存される。データＲＧＢ２は、ミキサ素子１１０に直ぐに供給されて、ＶＲＡＭ１に保存される前景画像の透明な部分を介して見えるようになる背景を画成する。領域ＶＲＡＭ３からのデータは、反転処理１１８を介して読出しされてミラー画像信号ＲＧＢ４を生成し、ミラー画像信号ＲＧＢ４は、ミキサ素子１１４に供給され、ＲＧＢ３と選択的に合成されて、表示装置３００に供給される最終データＲＧＢ５を生成する。尚、反転処理は、上述したように、成分Ｍ又は他の制御フィールドの１ビットによってオンとオフに切替えすることが可能である。このことは、線Ｍから反転処理１１８につながる破線矢印によって示す。
【００３２】
反転処理１１８は別個の構成要素として示されるが、当業者は、反転処理１１８が、明示的に又は暗示的に、様々な方法で実施可能であることを理解するであろう。一般的に、画像は、メモリＶＲＡＭ３から読出しされた順序を変えることにより反転される。或いは、画像データが保存された順序を、前向きカメラ３０２から入力されると直ぐに、保存の前に反転することも可能である。更に、表示の前に、別個の反転処理をＶＲＡＭ３に保存されるデータに行うことも可能である。
【００３３】
この機器の変形を破線で示す。この変形は、上述した仮想ミラー機能に加えて「仮想透明」機能を与える。この変形では、後向きカメラ３１０が設けられて、表示画面の背後にある実際の環境を表す画像データが供給される。この画像データは、透明座標Ｔに応じて用いられるデータＲＧＢ２の源として、領域ＶＲＡＭ２に保存される。
【００３４】
図６を参照するに、前向きカメラ３０２及び反転機能１１８が、表示モニタユニット１２０内に組込まれる。この実施例では、前向きカメラのデータが、ＣＰＵを介して処理されるのではなく、表示機器により直接処理されるので、ＣＰＵ及びコンピュータシステム本体に必要とされる処理が少なくなる。図５と同様に、画像メモリの領域ＶＲＡＭ２に保存される背景画像データ（ＲＧＢ２）は、ＣＰＵ又は後向きカメラ３１０（破線で示す）から選択的に得ることが可能である。
【００３５】
更なる変形では、後向きカメラ３１０も、表示モニタユニット１２０内に組込むことが可能である。その場合、全てのカメラデータが、ＣＰＵを介して処理されるのではなくて、表示機器によって直接処理されるので、ＣＰＵ及びコンピュータシステム本体に必要とされる処理が更に少なくなる。
【００３６】
図５及び図６の実施例は、構成要素の機能を与えるハードウェア及びソフトウェアに関して異なるが、アプリケーションレベルでは、システムのユーザ及びプログラマは、ＣＲＴ、一体型表示モニタ又はこれから発明されるタイプの物理的反射表示装置によって物理的に実施されることを知っている必要がないことを理解するものとする。むしろ、メモリ１０２内に駐在するドライバプログラムに、画像メモリ１０６内の画像データＲＧＢ、Ｍ、Ｔの場所が通知され、それにより、設けられているハードウェアと適切にインタフェースし、適切なハードウェアがない場合には、適切な機能性（例えば、ミキサ素子１１０、１１４）をソフトウェアで与える。そのような実施の詳細は、当業者の能力の範囲内であるので、ここでは説明しない。必要なハードウェア及び処理のタイプは、冒頭に引用した様々な特許参考文献、及び、アディソン・ウェズリー（Ａｄｄｉｓｏｎ  Ｗｅｓｌｅｙ）により出版されるフォーレイ（Ｆｏｌｅｙ）、バンダム（ｖａｎ  Ｄａｍ）、フェイナ（Ｆｅｉｎｅｒ）、及びヒューゴ（Ｈｕｇｈｅｓ）による「Ｐｒｉｎｃｉｐｌｅｓ  ｏｆ  Ｃｏｍｐｕｔｅｒ  Ｇｒａｐｈｉｃｓ」なるテキストブック（第２版、ＩＳＢＮ０−２０１−１２１１０−７）（例えば、８乃至１７ページを参照されたい）に十分に説明される。システムの様々な目的及び／又は変更を、以下に説明する。
【００３７】
画像データを生成するアプリケーションは、使用される表示装置が実際にミラー機能を供給するか否かについては知らないものと理解する。ミラーを再現するための情報が利用可能でない場合、ＲＧＢ合成色の通常の範囲を用いて、近似として銀色／テキスチャを再現することが可能である。
【００３８】
図２の光線Ｚ´に関連して説明したように、表示画面自体の平面から異なるよう方向付けられる本物のミラー又はシミュレートされたミラーを供給する選択が与えられ得る。座標Ｍによって表される反射の強度に加えて、それぞれ左右のチルトと上下のチルトを表す、シミュレートされるミラー面の方位及び高さの値も、画像の一部として保存される。動画像シーケンスの連続フレームのこれらの成分を変更することによって、きらきらした様相を与える効果又は可動ミラー効果を与えることが可能である。これらの効果は、周知のシステムにおいて色変動が得られるようにルックアップテーブルアニメーションによって与えることが可能である。ミラー成分に関して、透明コードＴが拡張されて、画面を「通して」の眺めの方向を変えることを可能にする。これは、例えば、屈折効果を与え得る。
【００３９】
明らかなように、各画素におけるミラー画像の画像源１１６は、シミュレートされたミラーの方向を知り、その方向に応じて正しい値ＲＧＢ４を生成できなければならない。１つの前向きビデオカメラ３０２をミラー画像データ源として使用する単純な実施の場合、幾何学的変換を用いて、カメラ画像フィールドのどの部分が、表示画面の所与の点に表示されるべきであるか選択することができる。この変換が、遠近法、歪みなどを考慮に入れるか、又は、正確なミラー画像に対する粗い近似が十分であるかは設計選択の問題である。
【００４０】
様々な方向を有するミラーのより複雑な実施では、マルチカメラ（例えば、ステレオスコピック）フィードが入力され、環境の３次元画像を得られるよう処理され、表示画面上の各点からより正確な眺めを表示することが可能である。同様に、本物のミラーからの像は、ミラーを見る人の位置に依存するので、画面の前の視聴者の実際の位置における動作を検出し且つ補償することにより高度なリアリズムが与えられる。同様に、「魚眼」レンズをそれぞれ有する２つのカメラ３０１、３０２のみで３６０度の環境画像を入手し得る。
【００４１】
上述した高められた機能性に加えて、前のシステムにおいてでも、前向きカメラ３０２は、画面３００上のどこかのミラー面の名目上の位置に置かれ、ミラー画像データＲＧＢ４の読出しの際に透視変換を実施することによって、画面上の所与の点からかのようにより現実的な視点を与え得る。ここでも、例えば、テクスチャマッピングについて周知であるように、リアリズム、費用、及び、品質間の所望のトレードオフに依存して、様々な変換技術が可能である。同レベルの画像変換が、後向きカメラ画像にも可能である。
【００４２】
表示端末で見た画像のハードコピーの供給がしばしば要望される。ミラーコードＭを適切に使用して、紙又は他の媒体にミラーのような材料を付着させる機能を有するプリンタが考えられる。そのような機能を有さないプリンタは、上述のミラー機能性を有さない表示装置で説明したように、通常の色インクを用いて銀のような効果を得られるよう最大限試みることが可能である。
【００４３】
ミラー機能の利点は以下を含む。
・高められた及び／又はより現実感のある画像機能は、
−インターネットブラウジングにおける新規の適用と、
−文書中の画像の新規の適用と、
−新規の、入射光を反射する「きらきらとした」（文字通り及び比喩的な感覚で）輝く硬貨と、を可能にする。
・画像は、ユーザとユーザの環境とインタラクトし、パーソナライゼーションの要素を与える。
・バニティミラー適用（ミラー画素で構成される画像のみを表示する）を実施する容易な手段を端末に与える。
・左右反転補正機能は、画像の符号化において、「他の人に見られている」ように自分自身を見る手段を与える。
【００４４】
当業者は、上述した実施例は、例示的にのみ示したものであり、本発明の技術的思想及び範囲内で多くの更なる変形及び変更が可能であることを理解するものとする。
【図面の簡単な説明】
【００４５】
【図１】本発明を具現化する表示装置の主な素子を示す概略図である。
【図２】図１の表示装置の実際の又は明らかな機能を示す図である。
【図３Ａ】本発明の実用的な実施例における表示装置の動作を示す図である。
【図３Ｂ】本発明の実用的な実施例における表示装置の動作を示す図である。
【図４】第１の一般的な実施例における表示装置の機能を示す図である。
【図５】従来のデスクトップＰＣを用いて実施される第２の特定の実施例における表示装置の構造及び機能を示す図である。
【図６】表示モニタにはミラー効果が組込まれる第３の特定の実施例の構造及び機能を示す図である。
【国際公開パンフレット】
2004527050.tif 000003
2004527050.tif 000004
2004527050.tif 000005
2004527050.tif 000006
2004527050.tif 000007
2004527050.tif 000008
2004527050.tif 000009
2004527050.tif 000010
2004527050.tif 000011
2004527050.tif 000012
2004527050.tif 000013
2004527050.tif 000014
2004527050.tif 000015
2004527050.tif 000016
2004527050.tif 000017
2004527050.tif 000018
2004527050.tif 000019
2004527050.tif 000020
【国際公開パンフレット（コレクトバージョン）】
2004527050.tif 000021
【国際調査報告】
2004527050.tif 000022
2004527050.tif 000023